(57)【特許請求の範囲】
【請求項１】
光信号を電気信号へ変換して出力する光電変換手段と、
この光電変換手段によって出力された前記電気信号から第１の電気信号とこの第１の電気信号と異なるデータレートを有する第２の電気信号とを分離して前記第２の電気信号を出力するとともに、前記第１の電気信号からクロックを再生してこの再生したクロックに同期して前記第１の電気信号のタイミング調整を行う第１のＣＤＲ（Clock Data Recovery）手段と、
前記第２の電気信号に基づいてクロックを再生し、この再生したクロックに同期して前
記第２の電気信号のタイミング調整を行う第２のＣＤＲ手段と
を備え、
前記第１のＣＤＲ手段は、
前記光電変換手段から出力される電気信号から前記第１および第２の電気信号を分離する分離手段と、
この分離手段により分離された前記第１の電気信号からクロックを再生し、この再生したクロックに同期して前記第１の電気信号のタイミング調整を行うＣＤＲ手段と、
タイミング調整がなされた前記第１の電気信号を出力する第１の端子と、
前記第２の電気信号を前記第２のＣＤＲ手段に出力する第２の端子と
を備える
ことを特徴とする光受信装置。
【請求項２】
請求項１に記載の光受信装置において、
前記第１のＣＤＲ手段は、さらに、
前記分離手段により分離された前記第１の電気信号よりも低周波数帯域である前記第２の電気信号の周波数帯域を制限する帯域制限手段を備え、
この帯域制限手段により周波数帯域の制限がなされた前記第２の電気信号は、前記第２の端子から出力されることを特徴とする光受信装置。
【請求項３】
請求項２に記載の光受信装置において、
前記帯域制限手段は、ローパスフィルタおよび前記第２の電気信号の周波数帯域に対応する増幅器の少なくとも１つで構成されることを特徴とする光受信装置。
【請求項４】
請求項１乃至３のいずれかに記載の光受信装置において、
前記分離手段は、データレートに対応した信号に基づいて前記電気信号を２つの信号経路のいずれか１つへ振り分けるスイッチであることを特徴とする光受信装置。
【請求項５】
請求項１乃至４のいずれかに記載の光受信装置において、
前記光電変換手段は、フォトダイオードと、プリアンプと、リミティングアンプとから構成されることを特徴とする光受信装置。
【請求項６】
請求項１乃至５のいずれかに記載の光受信装置において、
前記第１のＣＤＲ手段は、１つの回路部品として構成されることを特徴とする光受信装置。
【請求項７】
第１のデータレートの第１の光信号送信手段と第２のデータレートの第２の光信号送信手段とを有する光送信装置と、データレートの異なる光信号を受信する光受信装置とからなる光送受信装置において、
前記光受信装置は、請求項１乃至６のいずれかに記載された光受信装置であり、
前記光電変換手段と前記第１の光信号送信手段と前記第２の光信号送信手段とは、１つの筐体にモジュール化されることを特徴とする光送受信装置。
【発明の詳細な説明】
【技術分野】
【０００１】
本発明は、光受信装置および光送受信装置に関し、特に、異なる２つのデータレートを有する光信号に対応するデュアルレート対応の光受信装置および光送受信装置に関する。
【背景技術】
【０００２】
近年、ＦＴＴＨ（Fiber To The Home）をより高速化するため、現在商用化されているデータレートがギガビット級のＧＥ−ＰＯＮ（Gigabit Ethernet（登録商標）−Passive Optical Network）から、データレートが１０ギガビット級の１０Ｇ−ＥＰＯＮ（10 Gigabit−Ethernet Passive Optical Network）を実現するための標準化活動や装置開発が精力的に進められている。
このようなシステムのアップグレードには、既存システムとの互換性を保つことが肝要であるため、ＧＥ−ＰＯＮと１０Ｇ−ＥＰＯＮとが共存するようなネットワーク状態においても正常に動作するシステム構成および装置構成の整備が必要不可欠となる。よって、異なるデータレートのシステムの共存を図るため、局側装置に適用される光送受信装置のデュアルレート対応化が盛んに検討されている。
【０００３】
異なるデータレートのシステムの共存を図る従来の光送受信装置として、例えば、非特許文献１に記載の１．２５Ｇｂｐｓ／１０．３１２５Ｇｂｐｓデュアルレート対応の光送受信装置が知られている。図３に非特許文献１に記載されている１．２５Ｇｂｐｓ／１０．３１２５Ｇｂｐｓデュアルレート対応の光送受信装置２０の構成を示す。
【０００４】
この光送受信装置２０は、１０．３１２５Ｇｂｐｓ送信部（以下、「１０Ｇ送信部」と表す。）２１１と１．２５Ｇｂｐｓ送信部（以下、「１Ｇ送信部」と表す。）２１２とデュアルレート受信部２１３とからなる光トランシーバモジュール２１０と、１０．３１２５Ｇｂｐｓ用ＣＤＲ（Clock Data Recovery）部（以下、「１０Ｇ用ＣＤＲ部」と表す。）２２０と、１．２５Ｇｂｐｓ用ＣＤＲ部（以下、「１Ｇ用ＣＤＲ部」と表す。）２３０とから構成されている。
【０００５】
上記したデュアルレート受信部２１３は、光信号を電圧信号に変換するＡＰＤ−ＴＩＡ（Avalanche PhotoDiode-Trance Impedance Amplifier）２１３−ａと１０．３１２５Ｇｂｐｓ用リミティングアンプ（以下、「１０Ｇ用ＬＩＭ」と表す。）２１３−ｂと１．２５Ｇｂｐｓ用リミティングアンプ（以下、「１Ｇ用ＬＩＭ」と表す。）２１３−ｃとから構成されている。
図３に示す光送受信装置２０の構成要素のうち、１Ｇ用送信部２１２とデュアルレート受信装置２１３の１Ｇ用ＬＩＭ２１３−ｃと１Ｇ用ＣＤＲ部２３０は、従来のＧＥ−ＰＯＮにおいて使用される光送受信装置の構成要素を流用することができる。
【０００６】
このような図３に示す従来の光送受信装置２０は、複数のユーザ（送信元）から送信される１．２５Ｇｂｐｓ／１０．３１２５Ｇｂｐｓ混在の光信号をＡＰＤ−ＴＩＡ２１３−ａで受信して電気信号へ変換し、変換した電気信号を１０Ｇ用ＬＩＭ２１３−ｂおよび１Ｇ用ＬＩＭ２１３−ｃに供給することより、各リミティングアンプにおいて各データレートに対応した電気信号を出力することができる。
【０００７】
しかしながら、非特許文献１に記載されている従来の光受信装置の構成では、データレート毎にリミティングアンプが必要となり、装置規模や消費電力の増大につながるといった問題があった。
また、１．２５Ｇｂｐｓの信号出力と１０．３１２５Ｇｂｐｓの信号出力とを別々にすることが必要であるため、光トランシーバモジュール２１０の所要端子数が増大し、低コストな標準サイズの光トランシーバを構成することが困難となり、装置の小型低コスト化を阻害してしまうといった問題もあった。
【０００８】
このような問題に対し、非特許文献２に記載されているような、１つのリミティングアンプを用いたデュアルレート対応の光送受信装置が提案されている。非特許文献２に記載されているデュアルレート対応の従来の光送受信装置のうち、受信した光信号を電気信号へ変換する光受信部の構成を図４に示す。
【０００９】
図４に示す光受信部は、光受信モジュール３１０と、１Ｇ／１０Ｇ分配回路３１３と、１０Ｇ用ＣＤＲ３１４と、１Ｇ用ＣＤＲ３１５とから構成されている。ここで、光受信モジュール３１０は、ＡＰＤ−ＴＩＡ３１１とリミティングアンプ（以下、「ＬＩＭ」と表す。）３１２とから構成されている。したがって、１．２５Ｇｂｐｓの出力信号と１０．３１２５Ｇｂｐｓの出力信号とを共通の端子から出力できるとともに、部品点数を削減できることから、光トランシーバモジュールの小型低コスト化を実現可能な構成となっている。
なお、図４に示す光受信部の構成要素のうち、１Ｇ用ＣＤＲ３１５には、従来のＧＥ−ＰＯＮで使用される光送受信装置における光受信部のＣＤＲを流用することができる。
【００１０】
このような図４に示す従来のデュアルレート対応の光受信部は、ＭＡＣ（Media Access Control）層などの上位レイヤプロトコルによるビットレート判定信号に基づいてＡＰＤ−ＴＩＡ３１１とＬＩＭ３１２の周波数帯域や利得を動的に制御することにより、１．２５Ｇｂｐｓまたは１０．３１２５Ｇｂｐｓ信号の受信タイミングに合わせて１．２５Ｇｂｐｓまたは１０．３１２５Ｇｂｐｓ信号の受信感度を最適化し、送信元から送信される異なるデータレートの光信号をそれぞれ高感度で受信することができる。
【先行技術文献】
【非特許文献】
【００１１】
【非特許文献１】枡田 他, “10Gbit/sバースト信号対応デュアルレートOLT光トランシーバ” 2009年電子情報通信学会総合大会, B-10-98, 2009.3.
【非特許文献２】田島 他, “1G/10G共存を目指すバースト光受信技術” 2009年電子情報通信学会総合大会, BT-5-3, 2009.3.
【発明の概要】
【発明が解決しようとする課題】
【００１２】
しかしながら、非特許文献２に記載の技術では、１．２５Ｇｂｐｓの電気信号と１０．３１２５Ｇｂｐｓの電気信号とを分配する１Ｇ／１０Ｇ分配回路を光受信モジュールの外部に設ける必要があるため、各データレートの電気信号に対応したＣＤＲ回路までの信号線が長くなってしまう場合がある。このように光受信モジュールからＣＤＲ回路までの配線長が延びることによって、光受信モジュールによって光電変換された電気信号の信号レベルがＣＤＲ回路に入力されるまでの間に減衰してしまうといった問題があり、特に、高データレートの電気信号では、通信品質の劣化が顕著となるといった問題があった。
そこで本発明では、上述の問題を解決すべく、異なるデータレートを有する光信号に対応する光受信装置において、光受信部の配線による電気信号の減衰を抑制し、かつ小型低コストな装置を提供することを目的とする。
【課題を解決するための手段】
【００１３】
上記の目的を達成するため、本発明にかかる光受信装置は、光信号を電気信号へ変換して出力する光電変換手段と、この光電変換手段によって出力された前記電気信号から第１の電気信号とこの第１の電気信号と異なるデータレートを有する第２の電気信号とを分離して前記第２の電気信号を出力するとともに、前記第１の電気信号からクロックを再生してこの再生したクロックに同期して前記第１の電気信号のタイミング調整を行う第１のＣＤＲ（Crock Data Recovery）手段と、前記第２の電気信号に基づいてクロックを再生し、この再生したクロックに同期して前記第２の電気信号のタイミング調整を行う第２のＣＤＲ手段とを備えることを特徴とする。
【００１４】
また、本発明において前記第１のＣＤＲ手段は、前記光電変換手段から出力される電気信号から前記第１および第２の電気信号を分離する分離手段と、この分離手段により分離された前記第１の電気信号からクロックを再生し、この再生したクロックに同期して前記第１の電気信号のタイミング調整を行うＣＤＲ手段と、タイミング調整がなされた前記第１の電気信号を出力する第１の端子と、前記第２の電気信号を前記第２のＣＤＲ手段に出力する第２の端子とを備える構成としても良い。
【００１５】
また、本発明における前記第１のＣＤＲ手段は、さらに、前記分離手段により分離された前記第１の電気信号よりも低周波数帯域である前記第２の電気信号の周波数帯域を制限する帯域制限手段を備え、この帯域制限手段により周波数帯域の制限がなされた前記第２の電気信号は、前記第２の端子から出力されるとしても良い。
【００１６】
また、本発明における前記帯域制限手段は、ローパスフィルタおよび前記第２の電気信号の周波数帯域に対応する増幅器の少なくとも１つで構成しても良い。
また、本発明における前記分離手段は、データレートに対応した信号に基づいて前記電気信号を２つの信号経路のいずれか１つへ振り分けるスイッチとしても良い。
【００１７】
また、本発明における前記光電変換手段は、フォトダイオードと、プリアンプと、リミティングアンプとから構成しても良い。
また、本発明における前記第１のＣＤＲ手段は、１つの回路部品として構成されても良い。
【００１８】
また、本発明にかかる光送受信装置は、第１のデータレートの第１の光信号送信手段と第２のデータレートの第２の光信号送信手段とを有する光送信装置と、データレートの異なる光信号を受信する光受信装置とからなる光送受信装置において、前記光受信装置を、上述した光受信装置とし、前記光電変換手段と前記第１の光信号送信手段と前記第２の光信号送信手段とを、１つの筐体にモジュール化しても良い。
【発明の効果】
【００１９】
本発明によれば、第１の電気信号に対応した第１のＣＤＲ手段に第１の電気信号と第２の電気信号とを分離する機能を持たせることにより、デュアルレートの電気信号の信号経路長を短くすることができるため、配線長による電気信号の信号減衰を抑制することができ、通信品質の劣化を防ぐことができる。
また、光トランシーバモジュールの所要部品および信号出力端子数を削減できるため、装置の小型低コスト化を図ることができる。
【図面の簡単な説明】
【００２０】
【図１】本発明の実施の形態にかかる光受信装置の構成を示すブロック図である。
【図２】本発明の実施の形態にかかる光受信装置における１０Ｇ用ＣＤＲ１２０の構成を詳細に示すブロック図である。
【図３】従来のデュアルレート対応の光送受信装置の構成を示すブロック図である。
【図４】従来のデュアルレート対応の光送受信装置における光受信部の構成を示すブロック図である。
【発明を実施するための形態】
【００２１】
以下、図面を用いて、本発明の実施の形態を説明する。
本実施の形態にかかる光送受信装置は、異なるデータレートのシステムの共存を図るデュアルレート対応の光送受信装置であって、高ビットレートの信号に対応したＣＤＲ（Clock Data Recovery）回路モジュールに異なるビットレートの信号をそれぞれ分離する分離機能を持たせたものである。具体的には、異なるビットレートの信号をそれぞれ分離する分離回路と高ビットレートの信号に対応したＣＤＲ回路とを１つの回路部品として構成するものである。
ここでは、異なるデータレートのシステムが混在するネットワークに接続される本実施の形態にかかる光送受信装置として、ＧＥ−ＰＯＮと１０Ｇ−ＥＰＯＮとが混在したネットワークに接続される光送受信装置を例に説明する。
【００２２】
図１に示すように、本実施の形態にかかる光送受信装置は、光信号の送受信を行う光トランシーバモジュール１１０と、異なるデータレートの電気信号を分離して１０Ｇ−ＥＰＯＮにおける電気信号のタイミング調整を実行するとともにＧＥ−ＰＯＮによる電気信号を出力する１０Ｇ用ＣＤＲ部１２０と、１０Ｇ用ＣＤＲ部１２０によって分離出力されたＧＥ−ＰＯＮにおける電気信号のタイミング調整を実行する１Ｇ用ＣＤＲ部１３０とから構成されている。
【００２３】
通信ネットワークに接続されている光トランシーバモジュール１１０は、１０Ｇ−ＥＰＯＮおよびＧＥ−ＰＯＮからの１０ギガおよび１ギガビット級の光信号を受信して電気信号（電圧信号）へ変換するＡＰＤ−ＴＩＡ（Avalanche PhotoDiode-Trance Impedance Amplifier）１１１と、ＡＰＤ−ＴＩＡ１１１から出力される電圧信号を入力としてこの電圧信号の振幅制限を実行するリミティングアンプ（ＬＩＭ）１１２と、１０Ｇ−ＥＰＯＮに対して光信号を送信する１０Ｇ送信部１１３と、ＧＥ−ＰＯＮに対して光信号を送信する１Ｇ送信部１１４とから構成されている。ここで、光トランシーバモジュール１１０は、ＡＰＤ−ＴＩＡ１１１と、ＬＩＭ１１２と、１０Ｇ送信部１１３と、１Ｇ送信部１１４とを１つの筐体にモジュール化した構成とする。
【００２４】
光トランシーバモジュール１１０のＬＩＭ１１２と入力端子１２４を介して接続される１０Ｇ用ＣＤＲ部１２０は、１Ｇ／１０Ｇ分配回路１２１と、１０Ｇ用ＣＤＲ回路コア部１２２と、帯域制限部１２３と、第１の出力端子１２５と、第２の出力端子１２６とから構成されている。ここで、１０Ｇ用ＣＤＲ部１２０は、１Ｇ／１０Ｇ分配回路１２１と、１０Ｇ用ＣＤＲ回路コア部１２２と、帯域制限部１２３と、第１の出力端子１２５と、第２の出力端子１２６とを内蔵した１つの回路部品として構成されており、例えば、少なくとも１つの半導体基板上に集積化された集積回路（ＩＣ：Integrated Circuit）として実現しても良い。
【００２５】
１０Ｇ用ＣＤＲ部１２０の構成要素のうち、１Ｇ／１０Ｇ分配回路１２１は、光トランシーバモジュール１１０によって受信された光信号を光電変換した電気信号、すなわち、１０Ｇ−ＥＰＯＮによる光信号に対応する電気信号（以下、これを「第１の電気信号」と表す。）とＧＥ−ＰＯＮによる光信号に対応する電気信号（以下、これを「第２の電気信号」と表す。）とが混在した電気信号を、データレート毎にそれぞれ分離して出力する。
【００２６】
１０Ｇ用ＣＤＲ回路コア部１２２は、１Ｇ／１０Ｇ分配回路１２１によって分離され出力された第１の電気信号からクロックを再生して、この再生したクロックに同期して第１の電気信号のタイミング調整を実行し、タイミング調整がなされた第１の電気信号を第１の出力端子１２５から出力する。なお、１０Ｇ用ＣＤＲ部１２０の構成の詳細および作用については後述する。
【００２７】
帯域制限部１２３は、１Ｇ／１０Ｇ分配回路１２１によって分離された第２の電気信号、すなわちＧＥ−ＰＯＮによる光信号に対応した電気信号に対して周波数帯域を制限し、周波数帯域制限がなされた第２の電気信号を第２の出力端子１２６を介して後述する１Ｇ用ＣＤＲ部１３０へ出力する。
【００２８】
１Ｇ用ＣＤＲ部１３０は、第２の出力端子１２６と接続され、この第２の出力端子１２６から出力され周波数帯域制限された第２の電気信号からクロックを再生して、この再生したクロックに同期して第２の電気信号のタイミング調整を実行し出力する。
【００２９】
本実施の形態にかかる光送受信装置の各構成要素のうち、１Ｇ用ＣＤＲ部１３０は、従来のＧＥ−ＰＯＮにおいて使用されている光送受信装置に用いられる構成要素をそのまま流用しても良い。また、光トランシーバモジュール１１０については、従来から製品化されている汎用部品を流用することが可能である。
【００３０】
次に、本実施の形態にかかる光送受信装置の構成要素のうち、新たに開発が必要となる１０Ｇ用ＣＤＲ部１２０について、図２を参照してさらに詳細に説明する。
図２に示すように、本実施の形態にかかる光送受信装置の１０Ｇ用ＣＤＲ部１２０に内蔵される１Ｇ／１０Ｇ分配回路１２１は、１つの入力信号を２つの信号経路に振り分ける機能を有するスイッチ（ＳＷ）やセレクタ回路によって実現することができる。
【００３１】
例えば、ＳＷやセレクタ回路によって、１０Ｇ−ＥＰＯＮによる第１の電気信号（以後、「１０Ｇ信号」とする。）とＧＥ−ＰＯＮによる第２の電気信号（以後「１Ｇ信号」とする。）とが混在する電気信号を、ＭＡＣ層などの上位レイヤプロトコルからのビットレート判定信号に応じて１Ｇ信号経路と１０Ｇ信号経路の２経路へ振り分けることにより、１０Ｇ信号と１Ｇ信号とを分配する。
１Ｇ／１０Ｇ分配回路１２１によって分配された１０Ｇ信号は、１０Ｇ用ＣＤＲ回路コア部１２２へ直接入力されてクロック再生とデータ識別再生が実行される。
なお、ビットレート判定信号を生成する手段は、例えば、非特許文献２に開示されているデュアルレート対応の光送受信装置に用いられているように公知の内容であるため、その説明を省略する。
【００３２】
また、１０Ｇ用ＣＤＲ部１２０に内蔵される帯域制限部１２３は、図２に示すように、１Ｇ／１０Ｇ分配回路１２１の１Ｇ信号が出力される信号経路に接続されるＬＰＦ（ローパスフィルタ）１２３−ａおよび増幅器１２３−ｂとすることができる。
【００３３】
例えば、１Ｇ／１０Ｇ分配回路１２１の１Ｇ信号が出力される信号経路に、１Ｇ信号の周波数帯域に適応したＬＰＦ１２３−ａと、１Ｇ信号の周波数帯域特性を有する増幅器１２３−ｂとを構成することで、１Ｇ信号の受信感度が最適となるように１Ｇ／１０Ｇ分配回路１２１から出力される１Ｇ信号に対して周波数帯域の特性を制限する。
上記したＬＰＦ１２３−ａおよび増幅器１２３−ｂは、１Ｇ信号の受信感度が最適となるような帯域特性を備えることにより、光トランシーバモジュール１１０のＬＩＭ１１２の特性が１０Ｇ信号の高感度化に最適となっている場合でも、１Ｇ信号の受信感度を向上させることができる。
【００３４】
ＬＰＦ１２３−ａおよび増幅器１２３−ｂを通過して周波数帯域制限がなされた１Ｇ信号は、第２の出力端子１２６を介して直接１Ｇ用ＣＤＲ部１３０へ入力される。
【００３５】
次に、図２に示す１０Ｇ用ＣＤＲ部１２０の機能の全てを１つの集積回路（ＩＣ）に実装する場合を一例として説明する。
上述したように１Ｇ／１０Ｇ分配回路１２１の機能は、スイッチやセレクタ回路によって実現できることから、ＣＤＲ回路と比較すると格段に回路規模が小さいスイッチやセレクタ回路を実装すれば良い。したがって、１Ｇ／１０Ｇ分配回路が実装されていないＣＤＲ回路とほぼ同等の回路規模で１Ｇ／１０Ｇ分配回路１２１を内蔵させた１０Ｇ用ＣＤＲ部１２０を１つの集積回路（ＩＣ）として半導体基板上に実現することができる。
【００３６】
一方、１Ｇ信号の信号経路上に構成される帯域制限部１２３は、１Ｇ用ＣＤＲ部１３０に実装することも可能である。この場合は、１Ｇ用ＣＤＲ部１３０に帯域制限部１２３を実装するには、従来のＧＥ−ＰＯＮで使用される光送受信装置のＣＤＲ部をカスタマイズする必要があり、すなわち、１Ｇ用ＣＤＲ部１３０についても別途カスタマイズする必要がある。
しかし、本実施の形態にかかる光送受信装置のように、１０Ｇ用ＣＤＲ部１２０に帯域制限部１２３を実装することで、１Ｇ用ＣＤＲ部１３０として既存のＧＥ−ＰＯＮで使用される光送受信装置のＣＤＲ部を用いることができる。
【００３７】
以上のように、本実施の形態にかかる光送受信装置によれば、１０Ｇ用ＣＤＲ部１２０に１Ｇ／１０Ｇ分配回路１２１と帯域制限部１２３とを内蔵した構成とすることにより、第１および第２の電気信号の信号経路長を従来の光送受信装置よりも短くすることができ、線路長の延伸による電気信号の減衰を抑制することが可能となる。
【００３８】
特に、１０Ｇ用ＣＤＲ部１２０の全ての機能を１の集積回路（ＩＣ）に実装することで実現させる場合では、１Ｇ／１０Ｇ分配回路１２１によって分離された第１の電気信号（１０Ｇ信号）を１０Ｇ用ＣＤＲ回路コア部１２２へ直接入力できることから、１０Ｇ信号の信号経路長を短くすることができるため、配線長による１０Ｇ信号の減衰を抑制でき、通信品質の劣化を防ぐことが可能となる。
【００３９】
さらに、１０Ｇ用ＣＤＲ部１２０に内蔵した１Ｇ／１０Ｇ分配回路１２１と帯域制限部１２３とにより１０Ｇ信号および１Ｇ信号それぞれの受信感度を最適化することによって、より正確なクロック再生とデータ識別再生とが可能となるため、光トランシーバモジュール１１０のＬＩＭ１１２やＡＰＤ−ＴＩＡ１１１に対する１０Ｇ信号と１Ｇ信号の受信タイミングに応じた周波数帯域や利得の切替制御を省略することが可能となる。
【００４０】
また、本実施の形態にかかる光送受信装置によれば、ＬＩＭ１１２から出力される１Ｇ信号および１０Ｇ信号を、１０Ｇ用ＣＤＲ部１２０で処理することができるため、光トランシーバモジュール１１０の所要部品と信号出力端子数を削減できる。
さらに、本実施の形態にかかる光送受信装置の構成要素のうち、１０Ｇ用ＣＤＲ部１２０に相当する構成要素のみを新規にモジュール化すれば、１０Ｇ信号の信号長を短くすることに加えて、他の構成要素については、既存のＧＥ−ＰＯＮで使用される光送受信装置の構成要素や既存の１０Ｇ信号用の部品を流用することが可能となる。
したがって、比較的安価な部品の選定を可能にし、かつ、光電変換手段に必要な制御端子数を削減することが可能となることから、装置の小型化および低コスト化を図ることが可能となる。
【００４１】
また、１Ｇ／１０Ｇ分配回路１２１をスイッチやセレクタ回路によって実現するため、高データレートの信号と低データレートの信号とを完全に分離することができる。したがって、光送受信装置の回路全体におけるクロストークなどのノイズ耐性を向上させることが可能となる。
【００４２】
なお、図２において、１０Ｇ用ＣＤＲ部１２０における１Ｇ信号の経路に構成される帯域制限部１２３には、ＬＰＦ１２３−ａと増幅器１２３−ｂとの双方を備えた形態を例示しているが、いずれか一方の構成とすることもできる。
【産業上の利用可能性】
【００４３】
本発明は、ＦＴＴＨ（Fiber To The Home）システムにおける局側装置に適用される光送受信装置に利用可能である。
【符号の説明】
【００４４】
２０…光送受信装置、１１０，２１０…光トランシーバモジュール、１１１、２１３−ａ，３１１…ＡＰＤ−ＴＩＡ(Avalance PhotoDiode-Trance Impedance Amplifier)、１１２，３１２…ＬＩＭ（リミティングアンプ）、１１３，２１１…１０Ｇ送信部、１１４，２１２…１Ｇ送信部、１２０，２２０，３１４…１０Ｇ用ＣＤＲ部、１２１，３１３…１Ｇ／１０Ｇ分配回路、１２２…１０Ｇ用ＣＤＲ回路コア部、１２３…帯域制限部、１２３−ａ…ＬＰＦ、１２３−ｂ…増幅器、１２４…入力端子、１２５…第１の出力端子、１２６…第２の出力端子、１３０，２３０，３１５…１Ｇ用ＣＤＲ部、２１３…デュアルレート受信部、２１３−ｂ…１０Ｇ用ＬＩＭ、２１３−ｃ…１Ｇ用ＬＩＭ、３１０…光受信モジュール。
【図１】
0005399932.tif 000002
【図２】
0005399932.tif 000003
【図３】
0005399932.tif 000004
【図４】
0005399932.tif 000005